(57)【要約】【課題】ミストと液剤とを同時又は順次噴霧することができるとともに、液剤を安定して噴霧することができるミスト発生装置を提供する。【解決手段】ミスト発生装置は、貯水槽２２の水ＷからミストＭ１を発生させる加熱式のミスト発生部２４と、発生したミストＭ１を吐出するためのミスト吐出口２６とを備える。又、液剤Ｍ２を噴霧ノズル３１の先端開口部３１ａから噴霧する液剤噴霧機構１３を備える。そして、ミスト発生部２４で発生した熱による液剤噴霧機構１３（噴霧ノズル３１）の温度上昇を抑制すべく、温度上昇抑制部４１としての貯水槽２２がミスト発生部２４と液剤噴霧機構１３との間に配設される。【選択図】図１
2010175220.tif 000002
【特許請求の範囲】
【請求項１】
貯水槽からの水を加熱してミストを発生させる加熱式のミスト発生部と、
発生した前記ミストを吐出するためのミスト吐出口と
を備えたミスト発生装置であって、
液剤を噴霧ノズルの先端開口部から噴霧する液剤噴霧機構と、
前記ミスト発生部で発生した熱による前記液剤噴霧機構の温度上昇を抑制するための温度上昇抑制部と
を備えたことを特徴とするミスト発生装置。
【請求項２】
請求項１に記載のミスト発生装置において、
前記温度上昇抑制部は、前記ミスト発生部と前記液剤噴霧機構との間に配設された前記貯水槽を含むことを特徴とするミスト発生装置。
【請求項３】
請求項１に記載のミスト発生装置において、
前記貯水槽の水から冷たい冷ミストを発生させて吐出する冷ミスト機構を備え、
前記温度上昇抑制部は、前記ミスト発生部と前記液剤噴霧機構との間に配設された前記冷ミスト機構を含むことを特徴とするミスト発生装置。
【請求項４】
請求項１乃至３のいずれか１項に記載のミスト発生装置において、
前記貯水槽の水から冷たい冷ミストを発生させて吐出する冷ミスト機構を備え、
前記温度上昇抑制部は、前記冷ミスト機構に設けられるとともに前記液剤噴霧機構に当接される熱伝達部を含むことを特徴とするミスト発生装置。
【請求項５】
請求項１乃至４のいずれか１項に記載のミスト発生装置において、
前記貯水槽の水から冷たい冷ミストを発生させて吐出する冷ミスト機構を備え、
前記温度上昇抑制部は、前記冷ミスト機構で発生した冷ミストを前記液剤噴霧機構に向けて吐出するための冷ミスト分岐通路を含むことを特徴とするミスト発生装置。
【請求項６】
請求項５に記載のミスト発生装置において、
前記冷ミスト分岐通路には、分岐開閉弁が設けられたことを特徴とするミスト発生装置。
【請求項７】
請求項６に記載のミスト発生装置において、
前記液剤噴霧機構の温度を検出するための温度センサーと、
前記温度センサーが検出した温度に基づいて前記分岐開閉弁を動作させる制御部と
を備えたことを特徴とするミスト発生装置。
【請求項８】
請求項１乃至７のいずれか１項に記載のミスト発生装置において、
前記温度上昇抑制部は、前記ミスト発生部と前記液剤噴霧機構との間に配設された断熱区画壁を含むことを特徴とするミスト発生装置。
【発明の詳細な説明】
【技術分野】
【０００１】
本発明は、例えば、スチーム等のミストを噴霧するミスト発生装置に関するものである。
【背景技術】
【０００２】
人体の肌や喉等に潤いを与えるべくスチーム等のミストを噴霧する加湿器や美顔器等のミスト発生装置の一つとしては、水からマイクロサイズの大径ミストを発生させる加熱式の大径ミスト発生部と静電霧化機構を用いてナノサイズの小径ミストを発生させる小径ミスト発生部とを備えたものがある（例えば、特許文献１参照）。このようなミスト発生装置では、異質の２種類のミストにて複合的な効果を得ることができる。
【先行技術文献】
【特許文献】
【０００３】
【特許文献１】特開２００４―３６１００９号公報
【発明の概要】
【発明が解決しようとする課題】
【０００４】
ところで、上記のようなミスト発生装置における小径ミスト発生部に換えて保湿剤や美白剤などの液剤を噴霧ノズル（その先端開口部）から噴霧する液剤噴霧機構を設け、水から発生されたミストと、液剤（そのミスト）とを同時又は順次噴霧する装置が考えられる。しかしながら、上記のようなミスト発生装置では、加熱式のミスト発生部で発生した熱によって液剤噴霧機構（その噴霧ノズルを含む）における液剤が温められ（加熱され）てしまい、液剤の粘度が低下してしまうといった虞がある。このことは、例えば、噴霧不良を発生させる原因となる。
【０００５】
本発明は、上記課題を解決するためになされたものであって、その目的は、ミストと液剤とを同時又は順次噴霧することができるとともに、液剤を安定して噴霧することができるミスト発生装置を提供することにある。
【課題を解決するための手段】
【０００６】
上記課題を解決するために、請求項１に記載の発明では、貯水槽からの水を加熱してミストを発生させる加熱式のミスト発生部と、発生した前記ミストを吐出するためのミスト吐出口とを備えたミスト発生装置であって、液剤を噴霧ノズルの先端開口部から噴霧する液剤噴霧機構と、前記ミスト発生部で発生した熱による前記液剤噴霧機構の温度上昇を抑制するための温度上昇抑制部とを備えたことを要旨とする。
【０００７】
同構成によれば、ミストと液剤とを同時又は順次噴霧することができる。しかも、温度上昇抑制部によって、加熱式のミスト発生部で発生した熱による液剤噴霧機構の温度上昇を抑制することができるため、液剤噴霧機構における液剤が加熱されることが抑制され、液剤の粘度が低下してしまうことが抑制される。よって、液剤を安定して噴霧することができる。
【０００８】
請求項２に記載の発明では、請求項１に記載のミスト発生装置において、前記温度上昇抑制部は、前記ミスト発生部と前記液剤噴霧機構との間に配設された前記貯水槽を含むことを要旨とする。
【０００９】
同構成によれば、ミスト発生部と液剤噴霧機構との間に貯水槽が配設されるため、加熱式のミスト発生部で発生した熱による液剤噴霧機構の温度上昇を大幅に抑制することができる。尚、勿論、本来から設けられる貯水槽を温度上昇抑制部として用いるようにしたため、装置が大規模化してしまうことはない。
【００１０】
請求項３に記載の発明では、請求項１に記載のミスト発生装置において、前記貯水槽の水から冷たい冷ミストを発生させて吐出する冷ミスト機構を備え、前記温度上昇抑制部は、前記ミスト発生部と前記液剤噴霧機構との間に配設された前記冷ミスト機構を含むことを要旨とする。
【００１１】
同構成によれば、ミスト発生部と液剤噴霧機構との間に冷ミスト機構が配設されるため、加熱式のミスト発生部で発生した熱による液剤噴霧機構の温度上昇を大幅に抑制することができる。尚、勿論、冷ミスト機構を備えたミスト発生装置における冷ミスト機構を温度上昇抑制部として用いるようにしたため、装置が大規模化してしまうことはない。
【００１２】
請求項４に記載の発明では、請求項１乃至３のいずれか１項に記載のミスト発生装置において、前記貯水槽の水から冷たい冷ミストを発生させて吐出する冷ミスト機構を備え、前記温度上昇抑制部は、前記冷ミスト機構に設けられるとともに前記液剤噴霧機構に当接される熱伝達部を含むことを要旨とする。
【００１３】
同構成によれば、冷ミスト機構に設けられる熱伝達部が温度上昇抑制部として液剤噴霧機構に当接されるため、加熱式のミスト発生部で発生した熱による液剤噴霧機構の温度上昇を大幅に抑制することができる。
【００１４】
請求項５に記載の発明では、請求項１乃至４のいずれか１項に記載のミスト発生装置において、前記貯水槽の水から冷たい冷ミストを発生させて吐出する冷ミスト機構を備え、前記温度上昇抑制部は、前記冷ミスト機構で発生した冷ミストを前記液剤噴霧機構に向けて吐出するための冷ミスト分岐通路を含むことを要旨とする。
【００１５】
同構成によれば、温度上昇抑制部としての冷ミスト分岐通路によって、冷ミスト機構で発生した冷ミストが液剤噴霧機構に向けて吐出されるため、加熱式のミスト発生部で発生した熱による液剤噴霧機構の温度上昇を大幅に抑制することができる。
【００１６】
請求項６に記載の発明では、請求項５に記載のミスト発生装置において、前記冷ミスト分岐通路には、分岐開閉弁が設けられたことを要旨とする。
同構成によれば、ミスト分岐通路には、分岐開閉弁が設けられるため、手動又は自動で、冷ミストを液剤噴霧機構に向けて適宜吐出させることができる。即ち、液剤噴霧機構に向けた冷ミストの吐出が不要な場合に、不必要に吐出してしまうことを回避することができる。
【００１７】
請求項７に記載の発明では、請求項６に記載のミスト発生装置において、前記液剤噴霧機構の温度を検出するための温度センサーと、前記温度センサーが検出した温度に基づいて前記分岐開閉弁を動作させる制御部とを備えたことを要旨とする。
【００１８】
同構成によれば、制御部によって、温度センサーが検出した温度に基づいて分岐開閉弁が動作されるため、例えば、検出した温度が予め設定された規定値を超えた場合に自動的に冷ミストを液剤噴霧機構に向けて吐出させるといったことが可能となる。
【００１９】
請求項８に記載の発明では、請求項１乃至７のいずれか１項に記載のミスト発生装置において、前記温度上昇抑制部は、前記ミスト発生部と前記液剤噴霧機構との間に配設された断熱区画壁を含むことを要旨とする。
【００２０】
同構成によれば、ミスト発生部と液剤噴霧機構との間に断熱区画壁が配設されるため、加熱式のミスト発生部で発生した熱による液剤噴霧機構の温度上昇を抑制することができる。
【発明の効果】
【００２１】
本発明によれば、ミストと液剤とを同時又は順次噴霧することができるとともに、液剤を安定して噴霧することができるミスト発生装置を提供することができる。
【図面の簡単な説明】
【００２２】
【図１】本実施形態におけるミスト発生装置の模式図
【図２】別例におけるミスト発生装置の模式図。
【図３】別例におけるミスト発生装置の模式図。
【図４】別例におけるミスト発生装置の模式図。
【図５】別例におけるミスト発生装置の模式図。
【発明を実施するための形態】
【００２３】
以下、本発明を具体化した一実施形態を図１に従って説明する。
図１に示すように、本実施形態のミスト発生装置は、ケース１１と、該ケース１１内に略収容されたミスト発生吐出機構１２及び液剤噴霧機構１３と、同ケース１１内に収容された制御部１４とを備える。
【００２４】
ケース１１には、上方（天方向）に開口したミスト用開口部１１ａと、側方（水平方向）に開口した液剤用開口部１１ｂとが形成されている。尚、ケース１１は、例えば、上方が開口した有底四角筒状のケース本体と、ケース本体の上端開口部を覆う蓋部材等からなるが、図１では、それらを一体的に模式的に図示している。又、本実施の形態の液剤用開口部１１ｂは、ケース１１の側面から側方（水平方向であって、図１中、左方向）に筒状に突出しケース１１内外を連通する筒部１１ｃの先端に形成されている。
【００２５】
ミスト発生吐出機構１２は、着脱可能なタンク２１から水Ｗが供給される貯水槽２２と、貯水槽２２と連通管２３を介して連通され該貯水槽２２の水ＷからミストＭ１（所謂スチーム）を発生させるミスト発生部２４と、ミスト発生部２４と連通されたミスト移送経路２５を介して発生したミストＭ１を吐出するためのミスト吐出口２６とを備える。
【００２６】
ミスト発生部２４は、水Ｗを加熱してミストＭ１を発生させる加熱式のものであって、本実施の形態ではヒータ２４ａを備えたものである。又、前記ミスト吐出口２６は、前記ミスト用開口部１１ａからケース１１の外部に突出するとともに略直角に屈曲し、その吐出開口部２６ａが前記液剤用開口部１１ｂと平行な方向（水平方向であって、図１中、左方向）を向くように設けられている。尚、このミスト吐出口２６（吐出開口部２６ａ）と、液剤用開口部１１ｂとの位置関係はこれに限定されず、互いに平行な方向以外を向くように設けてもよい。
【００２７】
液剤噴霧機構１３は、保湿剤や美白剤などの液剤（そのミスト）Ｍ２を噴霧ノズル３１の先端開口部３１ａから噴霧するためのものである。詳しくは、液剤噴霧機構１３は、保湿剤や美白剤などの液剤を貯蔵するための液剤貯蔵部３２と、ベンチュリー効果によって液剤貯蔵部３２からの液剤を霧状（ミスト）として噴霧すべく設けられるエアポンプ３３と、該エアポンプ３３からの液剤（そのミスト）Ｍ２をその先端開口部３１ａから外部に噴霧するための前記噴霧ノズル３１とを備える。尚、噴霧ノズル３１の先端開口部３１ａは、ケース１１における筒部１１ｃの内側に配置され、液剤用開口部１１ｂと平行な方向（即ち水平方向であって、図１中、左方向）を向くように設けられている。
【００２８】
そして、制御部１４は、図示しない操作スイッチ等の操作に基づいて種々の制御を行う。例えば、操作スイッチにて前記ミストＭ１と前記液剤Ｍ２とを交互に３分ずつ、それを２回繰り返して（合計１２分）噴霧するための通常コースの操作（例えば、通常コースボタンを押す）が行われると、制御部１４は、ヒータ２４ａに通電する制御と、エアポンプ３３を駆動する制御とを交互に行い、これにより所望の動作が行われる。
【００２９】
ここで、ミスト発生装置は、ミスト発生部２４で発生した熱による液剤噴霧機構１３（特に噴霧ノズル３１）の温度上昇を抑制するための温度上昇抑制部４１を備えている。本実施の形態の温度上昇抑制部４１は、ミスト発生部２４と液剤噴霧機構１３との間に配設された前記貯水槽２２にて構成されている。即ち、本実施の形態では、液剤噴霧機構１３、ミスト発生部２４、及び貯水槽２２をこの順で並設するのではなく、液剤噴霧機構１３とミスト発生部２４とを離間させて、それらの間に水Ｗが溜められる貯水槽２２を設けることで、ミスト発生部２４で発生した熱による液剤噴霧機構１３の温度上昇を抑制するようにしている。
【００３０】
次に、上記実施の形態の特徴的な作用効果を以下に記載する。
（１）ミストＭ１と液剤Ｍ２とを同時又は順次噴霧することができる。しかも、温度上昇抑制部４１によって、加熱式のミスト発生部２４で発生した熱による液剤噴霧機構１３の温度上昇を抑制することができるため、液剤噴霧機構１３における液剤Ｍ２が加熱されることが抑制され、液剤Ｍ２の粘度が低下してしまうことが抑制される。よって、液剤Ｍ２を安定して噴霧することができる。
【００３１】
（２）温度上昇抑制部４１としてミスト発生部２４と液剤噴霧機構１３との間に貯水槽が配設されるため、加熱式のミスト発生部２４で発生した熱による液剤噴霧機構１３の温度上昇を大幅に抑制することができる。尚、勿論、本来から設けられる貯水槽２２を温度上昇抑制部４１として用いるようにしたため、装置が大規模化してしまうことはない。
【００３２】
上記実施の形態は、以下のように変更してもよい。
・上記実施の形態では、温度上昇抑制部４１を、貯水槽２２を用いて構成したが、ミスト発生部２４で発生した熱による液剤噴霧機構１３の温度上昇を抑制することができれば、他の構成の温度上昇抑制部に変更してもよい。
【００３３】
例えば、図２に示すように、まず貯水槽２２の水Ｗから冷たい冷ミストＭ３を発生させて吐出する冷ミスト機構５１を更に備えたミスト発生装置とし、温度上昇抑制部５２をミスト発生部２４と液剤噴霧機構１３との間に配設された前記冷ミスト機構５１にて構成してもよい。即ち、この例（図２参照）では、液剤噴霧機構１３とミスト発生部２４とを離間させて、それらの間に冷ミスト機構５１を設けることで、ミスト発生部２４で発生した熱による液剤噴霧機構１３の温度上昇を抑制するようにしている。このようにすると、加熱式のミスト発生部２４で発生した熱による液剤噴霧機構１３の温度上昇を大幅に抑制することができる。尚、勿論、冷ミスト機構５１を備えたミスト発生装置における冷ミスト機構５１を温度上昇抑制部５２として用いるようにしたため、装置が大規模化してしまうことはない。又、冷ミスト機構５１は、例えば、ベンチュリー効果によって水Ｗを霧状（冷ミストＭ３）として噴霧すべく設けられる図示しないエアポンプや、冷ミストＭ３を（ケース１１の）外部に吐出するための冷ミスト吐出口５１ａ等を備えたものである。そして、このような冷ミスト機構５１としては、ミスト発生部２４（ヒータ２４ａ）で発生した熱によって一度、殺菌効果を奏する程度に水Ｗの温度を上昇させるといった通路（管）を備えたものが考えられ、その通路（管）を液剤噴霧機構１３とミスト発生部２４との間に設けた構成とすれば、ミスト発生部２４で発生した熱を利用しながら液剤噴霧機構１３の温度上昇を抑制することができる。
【００３４】
又、例えば、上記別例（図２参照）の構成に加えて、図３に示すように、前記冷ミスト機構５１に設けられるとともに前記液剤噴霧機構１３に当接される熱伝達部５１ｂを温度上昇抑制部５２に含めてもよい。即ち、この例では、ミスト発生部２４と液剤噴霧機構１３との間に配設された前記冷ミスト機構５１と、前記熱伝達部５１ｂとが温度上昇抑制部５２を構成している。このようにすると、冷ミスト機構５１に設けられる熱伝達部５１ｂが温度上昇抑制部５２（その一部）として液剤噴霧機構１３に当接されるため、加熱式のミスト発生部２４で発生した熱による液剤噴霧機構１３の温度上昇を大幅に抑制することができる。尚、熱伝達部５１ｂは、例えば、単に冷ミスト機構５１と噴霧ノズル３１とを接続する金属部材（伝熱性金属板）や、その内部に水Ｗや冷ミストＭ３が入り込むパイプ部材が考えられる。
【００３５】
又、例えば、上記別例（図２参照）の構成に加えて、図４に示すように、前記冷ミスト機構５１で発生した冷ミストＭ３を前記液剤噴霧機構１３（例えば、噴霧ノズル３１）に向けて吐出するための冷ミスト分岐通路５１ｃを温度上昇抑制部５２に含めてもよい。このようにすると、冷ミスト分岐通路５１ｃによって、冷ミスト機構５１で発生した冷ミストＭ３が液剤噴霧機構１３（噴霧ノズル３１）に向けて吐出されるため、加熱式のミスト発生部２４で発生した熱による液剤噴霧機構１３の温度上昇を大幅に抑制することができる。又、この例（図４参照）における冷ミスト分岐通路５１ｃには、分岐開閉弁５１ｄが設けられている。よって、手動又は自動で、冷ミストＭ３を液剤噴霧機構１３に向けて適宜吐出させることができる。即ち、液剤噴霧機構１３に向けた冷ミストＭ３の吐出が不要な場合に、不必要に吐出してしまうことを回避することができる。更に、この例（図４参照）における液剤噴霧機構１３（その噴霧ノズル３１）にはその温度を検出するための温度センサー５３が設けられ、前記制御部１４は、温度センサー５３が検出した温度に基づいて分岐開閉弁５１ｄを動作させる。詳しくは、この例（図４参照）の制御部１４は、検出した温度が予め設定された規定値を超えた場合に自動的に冷ミストＭ３が液剤噴霧機構１３（噴霧ノズル３１）に向けて吐出させるように、分岐開閉弁５１ｄを開状態とする。よって、液剤噴霧機構１３（噴霧ノズル３１）の温度に応じた最適と判定されるタイミングで自動的に冷ミストＭ３を液剤噴霧機構１３に向けて吐出させることができる。
【００３６】
又、例えば、図５に示すように、ミスト発生部２４と液剤噴霧機構１３との間に配設した断熱区画壁５４を温度上昇抑制部としてもよい。尚、この断熱区画壁５４は、少なくともミスト発生部２４と液剤噴霧機構１３との間に介在していればよく、ケース１１の内部を完全には区画しないもの（区画された両室が部分的に連通した構成）としてもよいし、ケース１１の内部を完全に区画したもの（区画された両室が連通していない構成）としてもよい。このようにしても、加熱式のミスト発生部２４で発生した熱による液剤噴霧機構１３の温度上昇を抑制することができる。
【００３７】
又、例えば、ミスト発生部２４と液剤噴霧機構１３との距離を十分に離してその間の空気層による断熱効果により液剤噴霧機構１３の温度上昇を抑制してもよい。
尚、勿論、上記した各温度上昇抑制部を組み合わせて実施してもよい。
【００３８】
・上記実施の形態の液剤噴霧機構１３は、ベンチュリー効果によって液剤を霧状（ミスト）として噴霧するものとしたが、液剤を噴霧ノズルの先端開口部から噴霧するものであればよく、例えば、液剤を静電霧化して（微細なミストとして）噴霧ノズルの先端開口部から噴霧するものに変更してもよい。
【符号の説明】
【００３９】
１３…液剤噴霧機構、１４…制御部、２２…貯水槽、２４…ミスト発生部、２６…ミスト吐出口、３１…噴霧ノズル、３１ａ…先端開口部、４１，５２…温度上昇抑制部、５１…冷ミスト機構、５１ｂ…熱伝達部、５１ｃ…冷ミスト分岐通路、５１ｄ…分岐開閉弁、５３…温度センサー、５４…断熱区画壁、Ｗ…水、Ｍ１…ミスト、Ｍ２…液剤（そのミスト）、Ｍ３…冷ミスト。
【図１】
2010175220.tif 000003
【図２】
2010175220.tif 000004
【図３】
2010175220.tif 000005
【図４】
2010175220.tif 000006
【図５】
2010175220.tif 000007